(57)【要約】  【課題】清掃部が外れ難く、しかも取付け及び取り外しが簡単にできる戸車レールの清掃装置を提供する。  【解決手段】戸車２５の走行を案内するレール２９を引戸の開閉に伴って清掃する清掃装置１０であって、被係止部１２を有する装置本体１３と、装置本体１３の下端側に形成されてレール２９に当接する清掃部１５と、戸車軸２３又は戸車軸の支持板２１に対して脱着自在に取り付けられる脱着部１７とを備え、引戸に設けられた係止部２３に被係止部１２が係止して清掃部１５をレール２９に押圧している。【選択図】図１
2010007283.tif 000002
【特許請求の範囲】
【請求項１】
戸車の走行を案内するレールを引戸の開閉に伴って清掃する清掃装置であって、被係止部を有する装置本体と、装置本体の下端側に形成されてレールに当接する清掃部と、戸車軸又は戸車軸の支持部に対して脱着自在に取り付けられる脱着部とを備え、引戸に設けられた係止部に被係止部が係止して清掃部をレールに押圧していることを特徴とする戸車レールの清掃装置。
【請求項２】
戸車軸が係止部となっており、被係止部は戸車軸が挿通する挿通穴であることを特徴とする請求項１に記載の戸車レールの清掃装置。
【請求項３】
装置本体、清掃部及び脱着部は樹脂により一体成形されていることを特徴とする請求項１又は２に記載の戸車レールの清掃装置。
【請求項４】
装置本体は正面視逆Ｔ字状であり、清掃部は装置本体の水平部分の両端から下方に向けて突設して形成されていることを特徴とする請求項１〜３の何れかに記載の戸車レールの清掃装置。
【請求項５】
装置本体は正面視において被係止部から上下方向に延びる垂直部分と、垂直部分から斜め下方に向けてそれぞれ延びる傾斜部分とからなり、清掃部は傾斜部分の先端から下方に向けて突設して形成されていることを特徴とする請求項１〜３の何れかに記載の戸車レールの清掃装置。
【請求項６】
清掃装置を取り外した状態における清掃部の下端から挿入穴の中心までの距離よりも、戸車軸の軸心からレール表面までの距離が短いことを特徴とする請求項２〜５の何れか一項に記載の戸車レールの清掃装置。
【請求項７】
清掃部の下端部は、引戸の進行方向の先端部から後端部に向かうに従ってレールに対して斜めであり、先端部のみをレールに接触させていることを特徴とする請求項１〜６の何れか一項に記載の戸車レールの清掃装置。
【発明の詳細な説明】
【技術分野】
【０００１】
本発明は、戸車レールの清掃装置に関する。
【背景技術】
【０００２】
特許文献１には、戸車レールを清掃する清掃装置において、戸車ホルダの下端に両面テープ、接着剤等により清掃部を取り付けた構成が開示されている。
一方、特許文献２には、一対のブラケットの下端に清掃部を備え、ブラケットに形成した軸穴と、戸車の軸穴とを合わせた状態で軸を貫通させ、軸の一端をかしめて清掃装置を取り付ける構成が開示されている。
【特許文献１】実用新案登録第３１３８２４３号
【特許文献２】特開２００８−１４０２２号
【発明の開示】
【発明が解決しようとする課題】
【０００３】
しかし、特許文献１の従来技術は、両面テープ、接着剤等により清掃部を取り付けているため、長年の使用により接着力が弱まって清掃部が外れ易くなるという問題があった。
また、特許文献２の従来技術は、清掃装置を戸車と一緒にホルダに取り付ける必要があるため、清掃部を交換する際には戸車も一緒に取り外す必要があり、作業が煩雑になるという問題があった。
【０００４】
本発明は、このような従来の問題を解決するものであり、清掃部が外れ難く、しかも取付け及び取り外しが簡単にできる戸車レールの清掃装置を得ることを目的とする。
【課題を解決するための手段】
【０００５】
すなわち、本発明は、戸車の走行を案内するレールを引戸の開閉に伴って清掃する清掃装置であって、被係止部を有する装置本体と、装置本体の下端側に形成されてレールに当接する清掃部と、戸車軸又は戸車軸の支持板に対して脱着自在に取り付けられる脱着部とを備え、引戸に設けられた係止部に被係止部が係止して清掃部をレールに押圧していることを特徴とする。
【０００６】
本発明では、装置本体の被係止部を引戸に設けられた係止部に係止させると共に脱着部を戸車軸又は戸車軸の支持部に装着して、清掃装置の取り付けが終了する。一方、清掃装置を取り外す場合には、脱着部を戸車軸又は戸車軸の支持板から取り外して、清掃装置の取り外しが終了する。このように、本発明では戸車軸又は戸車軸の支持板に脱着部を装着させたり外したりするだけで清掃装置の取り付け及び取り外しができ、別途に清掃装置を固定するための固定具を必要とせず、脱着作業も簡単である。
【０００７】
また、請求項２に記載の発明は、請求項１に記載の発明において、戸車軸が係止部となっており、被係止部は戸車軸が挿通する挿通穴であることを特徴とする。
戸車軸に挿通穴を挿入するだけで装置本体を係止できるので、装置本体の位置決めが簡単で且つ構成も簡単である。
【０００８】
また、請求項３に記載の発明は、請求項１又は２に記載の発明において、装置本体、清掃部及び脱着部は樹脂により一体成形されていることを特徴とする。
このように、装置本体、清掃部及び脱着部は一体成形されているので、経年変化によって清掃部が装置本体から剥がれたりし難く耐久性に優れる。また、樹脂製であるため、取り付け及び取り外し作業が容易である。
【０００９】
請求項４に記載の発明は、請求項１〜３のいずれかに記載の発明において、装置本体は正面視逆Ｔ字状であり、清掃部は装置本体の水平部分の両端から下方に向けて突設して形成されていることを特徴とする。
このように、清掃部は装置本体の水平部分の両端から下方に向けて突設して形成してあるため、装置本体の戸車軸回りの動きがレールで抑えられ、清掃装置を安定した姿勢を保ったまま移動させることができる。よって、常に一定の圧力で清掃部をレールに押し当てることができ、レールに対する清掃部の接触ムラを防止して清掃性能の向上を図ることができる。
【００１０】
請求項５に記載の発明は、請求項１〜３のいずれかに記載の発明において、装置本体は正面視において挿通穴から上下方向に延びる垂直部分と、垂直部分から斜め下方に向けてそれぞれ延びる傾斜部分とからなり、清掃部は傾斜部分の先端から下方に向けて突設して形成されていることを特徴とする。
このように、装置本体に挿通穴から斜め下方に向けてそれぞれ延びる傾斜部分を有しているので、引戸の開閉方向に働く力が傾斜部分を通じて清掃部に伝わり、清掃部を強くレールに押し当てることができ、清掃性能の向上が図れる。また、傾斜部分のたわみによって清掃部を強くレールに押し当てることができ、清掃性能の向上を更に図ることができる。
【００１１】
請求項６に記載の発明は、請求項２〜５の何れか一項に記載の発明において、清掃装置を取り外した状態における清掃部の下端から挿入穴の中心までの距離よりも、戸車軸の軸心からレール表面までの距離が短いことを特徴とする。
このようにした場合、清掃部を強くレールに押し当てることができ、清掃性能の向上を更に図ることができる。
【００１２】
請求項７に記載の発明は、請求項１〜６の何れか一項に記載の発明において、清掃部の下端部は、引戸の進行方向の先端部から後端部に向かうに従ってレールに対して斜めであり、先端部のみをレールに接触させていることを特徴とする。
清掃部の下端部を引戸の進行方向の先端部のみをレールに接触させているので、レールに対する清掃部の先端部の面圧を高くして、レールに付着した塵埃等に鋭角な角度で接する事により清掃効果を確保するとともに、摺動面積を極力少なくする事により、摺動抵抗を低く押え、清掃部のスムーズな移動が可能となる。
【発明を実施するための最良の形態】
【００１３】
以下、本発明に係る戸車レールの清掃装置の実施形態を添付図面に基づき説明する。
図１は、本発明の第１の実施形態に係る清掃装置を取り付けた戸車装置を示し、（ａ）は平面図、（ｂ）は（ｃ）のＡ−Ａ断面図、（ｃ）は正面図をそれぞれ示し、図２は図１に示す清掃装置を抜き出して示す図であり、（ａ）は断面図、（ｂ）は正面図である。
図１に示すように、戸車装置２０は引戸本体の上部に取り付けられており、引戸本体の上端から上方に向けて延びる支持板（支持部）２１と、支持板２１に固定された戸車軸（係止部）２３と、戸車軸２３に取り付けられた戸車２５とを備える。戸車２５には外周にＲ状の溝２７が形成されており、係る溝２７が戸枠側に設けられたレール２９に係合し、引戸の開閉に伴って戸車２５がレール２９上を移動するようになっている。
【００１４】
また、戸車軸２３と戸車２５との間にはボールベアリング３１がはめ込まれており、戸車軸２３に対して戸車２５が回動自在に軸支されている。尚、ボールベアリング３１を保持する保持板３３は戸車２５の一方側面２５ａよりも内側にくぼんだ位置にあり、戸車軸２３の先端２３ａが保持板３３よりも突出して設けられている。
【００１５】
次に戸車装置２０に取り付けられる清掃装置１０について説明する。清掃装置１０は、戸車軸２３に挿通する挿通穴（被係止部）１２を有する正面視逆Ｔ字状の装置本体１３と、装置本体１３の下端の位置で戸車２５の前方及び後方にそれぞれ形成された清掃部１５と、戸車軸２３の支持板２１に対して脱着自在に係止して装置本体１３が戸車軸２３から抜けるのを防止する脱着部１７とを備える。装置本体１３、清掃部１５及び脱着部１７は樹脂により一体成形されている。
【００１６】
装置本体１３は、正面視において挿通穴１２から上下方向に延びる垂直部分１３ａと、垂直部分１３ａの下端から戸車２５の前後方向に延びる水平部分１３ｂとからなり、清掃部１５は水平部分１３ｂの両端から下方且つ支持板２１の方向に向けて突設して形成されている。また、装置本体１３は垂直部分１３ａから支持板２１に向けて断面視においてＬ字状になっており、Ｌ字の先端を下方に折り曲げた部分が支持板２１に係止する脱着部１７となっている。装置本体１３の挿通穴１２は基端部から支持板２１に向けて突設する環状突起１４に形成されており、環状突起１４の挿通穴１２に戸車軸２３の先端２３ａが嵌合すると共に、環状突起１４の先端部１４ａがボールベアリング３１を保持する保持板３３に突き当てられている。
【００１７】
また、清掃部１５にはレール形状に合わせてＲ状の溝１６が形成されている。また、清掃部１５の下端部１５ａは、引戸の進行方向の先端部１５ｂから後端部１５ｃに向かうに従ってレール２９に対して斜めにしており、先端部１５ｂのみをレール２９に接触させている。尚、先端部１５ｂの端面１５ｄはレール２９に対して垂直あるいは後端部１５ｃ側に傾斜していることが好ましい。このようにした場合、清掃装置１０の移動中に、レール２９上の塵や埃が端面１５ｄに案内されて先端部１５ｂとレール表面との間に入り込み難くなる。
【００１８】
本実施の形態に係る清掃装置１０を戸車装置２０に取り付ける場合、装置本体１３の挿通穴１２を戸車軸２３に挿通すると共に、脱着部１７を支持板２１に係止させて、清掃装置１０の取り付けが終了する。一方、清掃装置１０を取り外す場合には、脱着部１７を支持板２１から取り外し、装置本体１３を戸車軸２３から引き抜くことで、清掃装置１０の取り外しが終了する。
このように、本実施の形態では支持板２１に脱着部１７を係止させたり外したりするだけで清掃装置１０の取り付け及び取り外しができ、別途に清掃装置１０を固定するための固定具を必要とせず、脱着作業が簡単で、後付けが容易である。また、樹脂製であるため、取り付け及び取り外しの際には、装置本体１３のＬ字の部分がくの字に弾性変形するので、支持板２１に対して脱着部１７を係止させたり外したりし易い。
【００１９】
また、装置本体１３、清掃部１５及び脱着部１７は一体成形されているので、経年変化によって清掃部１５が装置本体１３から剥がれたりし難く耐久性に優れる。
清掃部１５は装置本体１３の水平部分１３ｂの両端から下方に向けて突設して形成してあるため、装置本体１３の戸車軸回りの動きがレール２９で抑えられ、清掃装置１０を安定した姿勢を保ったまま移動させることができる。よって、常に一定の圧力で清掃部１５をレール２９に押し当てることができ、レール２９に対する清掃部１５の接触ムラを防止でき、レール２９表面の塵やほこりを確実に除去することができる。
【００２０】
更に、清掃部１５の下端部１５ａは、先端部１５ｂのみをレール２９に接触させているので、レール２９に対する清掃部１５の先端部１５ｂの面圧を高くして、レール２９に付着した塵埃等に鋭角な角度で接する事により清掃効果を確保するとともに、摺動面積を極力少なくする事により、摺動抵抗を低く押え、清掃部１５のスムーズな移動が可能となる。
【００２１】
次に第２の実施形態について図３を用いて説明する。尚、以下に説明する第２の実施の形態では、上述した第１実施の形態と同一部分には同一の符号を付することによって、その部分の詳細な説明を省略する。
第２の実施の形態では、清掃装置１０を取り外した状態における清掃部１５の先端部１５ｂ（下端）から挿通穴１２の中心までの距離（図３で示すＣ）よりも、戸車軸２３の軸心からレール２９表面までの距離（図２で示すＢ）を短くしている。
このようにした場合、清掃装置１０を取り付けた状態において清掃部１５を強くレール２９に押し当てることができ、清掃性能の向上を更に図ることができる。
【００２２】
また、装置本体１３は正面視において挿通穴１２から上方に向けて延びる垂直部分１３ｃと、挿通穴１２から斜め下方に向けてそれぞれ延びる傾斜部分１３ｄとからなり、清掃部１５は傾斜部分１３ｄの先端から下方に向けて突設して形成されている。
このように、装置本体１３に挿通穴１２から斜め下方に向けてそれぞれ延びる傾斜部分１３ｄを有しているので、引戸の開閉方向に働く力が傾斜部分１３ｄを通じて清掃部１５に伝わり、清掃部１５を強くレール２９に押し当てることができ、清掃性能の向上が図れる。また傾斜部分１３ｄのたわみによって清掃部１５を強くレール２９に押し当てることができ、清掃性能の向上を更に図ることができる。
【００２３】
次に第３実施の形態について、図４及び図５を用いて説明する。図４及び図５に示すように脱着部１８を環状突起１４に設け、脱着部１８を支持板２１に係止せずに戸車軸２３に係止するようにしている。
この場合、脱着部１８は環状突起１４の内周面から挿通穴１２の中心に向けて突出するように設けており、脱着部１８が戸車軸２３の外周に形成した凹部２３ｂに係止するようになっている。また、装置本体１３の上部には清掃装置１０の脱着のための把持部１０ａが設けられている。
なお、本発明の清掃装置１０は、上述の実施形態になんら制限されるものではなく、本発明の趣旨を逸脱しない範囲で種々変更可能である。
【図面の簡単な説明】
【００２４】
【図１】本発明の第１の実施形態に係る清掃装置を取り付けた戸車装置を示し、（ａ）は平面図、（ｂ）は（ｃ）のＡ−Ａ断面図、（ｃ）は正面図をそれぞれ示す図である。
【図２】図１に示す清掃装置を抜き出して示す図である。
【図３】本発明の第２の実施形態に係る清掃装置を示す図である。
【図４】本発明の第３の実施形態に係る清掃装置を示す断面図である。
【図５】図４の清掃装置を抜き出して示す図であり、（ａ）は断面図、（ｂ）は正面図である。
【符号の説明】
【００２５】
清掃装置１０；挿通穴（被係止部）１２；装置本体１３；環状突起１４；清掃部１５；脱着部１７、１８；戸車装置２０；支持板（支持部）２１；戸車軸（係止部）２３；先端２３ａ；戸車２５；一方側面２５ａ；溝２７；レール２９；ボールベアリング３１；保持板３３
【図１】
2010007283.tif 000003
【図２】
2010007283.tif 000004
【図３】
2010007283.tif 000005
【図４】
2010007283.tif 000006
【図５】
2010007283.tif 000007